(57)【要約】【課題】  バックライト部から引き出された電線を安定的に固定し、生産性を高める構造を備えたＬＣＤを提供する。【解決手段】  画像を表示する液晶表示パネルと、前記液晶表示パネルに均一な光を供給するバックライト部とを含んでなる液晶表示装置モジュールと、前記バックライト部から引き出された電線と、前記液晶表示装置モジュールの下部に配置され、側周縁部から外側に突出した部分に第１リブを備え、前記第１リブが備えられた個所に隣接した位置に貫通ホールが形成されたメインサポートと、前記液晶表示パネルを支持し、側部一端に前記メインサポート上に形成された貫通ホールに対応する位置に第２リブを備えたガイドパネルとを含んでなり、前記第１リブと第２リブとの間に、前記バックライト部から引き出された電線の固定部が形成されていることを特徴とする。【選択図】  図６
2004212966.tif 000002
【特許請求の範囲】
【請求項１】
画像を表示する液晶表示パネルと、前記液晶表示パネルに均一な光を供給するバックライト部とを含んでなる液晶表示装置モジュールと、
前記バックライト部から引き出された電線と、
前記液晶表示装置モジュールの下部に配置され、周縁部から外側に突出した部分に第１リブを備え、前記第１リブが備えられた個所に隣接した位置に貫通ホールが形成されたメインサポートと、
前記液晶表示パネルを支持し、側部の一端の前記メインサポート上に形成された貫通ホールに対応する位置に第２リブを備えたガイドパネルとを含んでなり、前記第１リブと第２リブとの間に、前記バックライト部から引き出された電線の固定部が形成されていることを特徴とする液晶表示装置。
【請求項２】
前記第１リブは前記メインサポートから延長されて突出していることを特徴とする請求項１記載の液晶表示装置。
【請求項３】
前記第２リブは前記メインサポート上に形成された前記貫通ホールを通過して前記メインサポートの下方に突出していることを特徴とする請求項１記載の液晶表示装置。
【請求項４】
前記第２リブは前記ガイドパネルから延長されて突出していることを特徴とする請求項１記載の液晶表示装置。
【請求項５】
前記第１、第２リブの先端に鉤状の第１、第２フック部が形成されていることを特徴とする請求項１記載の液晶表示装置。
【請求項６】
前記第１フック部と第２フック部とは、互いに対向した形で隣接して形成されていることを特徴とする請求項５記載の液晶表示装置。
【請求項７】
前記第１フック部と第２フック部は電線が挿入される入口部に傾斜したタップが形成されていることを特徴とする請求項５記載の液晶表示装置。
【請求項８】
前記バックライト部から引き出された電線は、第１リブと第２リブとの間に挿入され、第１フック部及び第２フック部によって拘束され固定されることを特徴とする請求項７記載の液晶表示装置。
【請求項９】
前記第１、第２リブは弾性を有するプラスチックで形成されていることを特徴とする請求項１記載の液晶表示装置。
【請求項１０】
前記第１フック部と第２フック部の間の間隔は、前記電線の太さより小さく形成されることを特徴とする請求項７記載の液晶表示装置。
【請求項１１】
前記メインサポートとガイドパネルは同一の物質で形成されることを特徴とする請求項１記載の液晶表示装置。
【請求項１２】
前記メインサポートとガイドパネルはプラスチックパネルで形成されることを特徴とする請求項１１記載の液晶表示装置。
【請求項１３】
前記ガイドパネルは、前記メインサポートの周縁部に沿って前記メインサポートと同一の大きさで形成されることを特徴とする請求項１記載の液晶表示装置。
【請求項１４】
前記ガイドパネルは、その周縁部に前記液晶表示パネルが積載される積載面を有することを特徴とする請求項１記載の液晶表示装置。
【請求項１５】
前記メインサポートと第１リブとは一体的に形成されることを特徴とする請求項１記載の液晶表示装置。
【請求項１６】
前記ガイドパネルと第２リブとは一体的に形成されることを特徴とする請求項１記載の液晶表示装置。
【請求項１７】
前記バックライト部は、上面に前記液晶表示パネルを金属材質のトップケースで支持し、下面をメインサポートの周縁部上面に積載したガイドパネルによって支持したことを特徴とする請求項１記載の液晶表示装置。
【発明の詳細な説明】
【技術分野】
【０００１】
本発明は液晶表示装置に関し、特にバックライト部から出た電線を安定的に固定する構造を備えた液晶表示装置に関する。
【０００２】
情報化社会の発達と共に、表示装置に対する要求も多様な形態で求められており、これに応じて最近液晶表示装置（Ｌｉｑｕｉｄ  Ｃｒｙｓｔａｌ  Ｄｉｓｐｌａｙ  Ｄｅｖｉｃｅ；以下「ＬＣＤ」と称する）、ＰＤＰ（Ｐｌａｓｍａ  Ｄｉｓｐｌａｙ  Ｐａｎｅｌ）、ＥＬＤ（Ｅｌｅｃｔｒｏ  Ｌｕｍｉｎｅｓｃｅｎｔ  Ｄｉｓｐｌａｙ）、ＶＦＤ（Ｖａｃｕｕｍ  Ｆｌｕｏｒｅｓｃｅｎｔ  Ｄｉｓｐｌａｙ）など様々な平板表示装置が研究され、その一部は既に各種装備の表示装置に活用されている。
【０００３】
そのうち、現在画質が鮮明で軽薄型、低消費電力などの特長によって、移動型画像表示装置の用途においてＣＲＴ（Ｃａｔｈｏｄｅ  Ｒａｙ  Ｔｕｂｅ）に替わってＬＣＤが最も多用されており、ノ−トブックコンピューターのモニターのような移動型の用途以外にも、放送信号を受信してディスプレイするテレビ及びコンピューターのモニターなどに多様に開発されている。
【０００４】
このように、ＬＣＤは様々な分野で画面表示装置としての役割を果たすために多様な技術的な発展が成されているにも関わらず、画面表示装置として画像の品質を高める作業は前記長所と背馳する面が多かった。従って、ＬＣＤが一般の画面表示装置として多用されるためには、軽薄型、低消費電力の特長を維持しながら、高精細、高輝度、大面積などのように上質の画像をどれ程実現できるかにかかっているといっても過言ではないだろう。
【０００５】
かかるＬＣＤは、画像を表示する液晶パネルと、前記液晶パネルに駆動信号を印加するための駆動部とに大きく分けられ、前記液晶パネルは、一定空間を有し張り合わせられた第１、第２ガラス基板と、前記第１、第２ガラス基板の間に注入された液晶層とで構成される。
【０００６】
ここで、前記第１ガラス基板（ＴＦＴアレイ基板）には一定間隔を有して一方向に配列される複数のゲートラインと、前記各ゲートラインと垂直な方向に一定の間隔で配列される複数のデータラインと、前記各ゲートラインとデータラインとが交差され形成された各画素領域にマトリックス状に形成される複数の画素電極と、前記ゲートラインの信号によってスイッチングされて前記データラインの信号を前記各画素電極に伝える複数の薄膜トランジスタとが形成されている。
【０００７】
また、第２ガラス基板（カラーフィルター基板）には前記画素領域を除いた部分の光を遮断するためのブラックマトリックス層と、カラーを表現するためのＲ、Ｇ、Ｂカラーフィルター層と、画像を実現するための共通電極とが形成されている。勿論、横電界方式のＬＣＤでは共通電極が第１ガラス基板に形成される。
このような前記第１、第２基板はスペーサによって一定空間を有し液晶注入口を有するシール剤によって張り合わせられ、前記両基板の間に液晶が注入される。
【０００８】
一方、ＬＣＤの大部分は外部から入る光の量を調節して画像を表示する受光性素子であるため、液晶パネルに光を照射するための別途の光源、つまりバックライトが必ず必要であり、このようなバックライトはランプユニットが設置される位置によってエッジ方式と直下方式とに区分される。
ここで、前記別途の光源としては、ＥＬ（Ｅｌｅｃｔｒｏ  Ｌｕｍｉｎｅｓｃｅｎｃｅ）、ＬＥＤ（Ｌｉｇｈｔ  Ｅｍｉｔｔｉｎｇ  Ｄｉｏｄｅ）、ＣＣＦＬ（Ｃｏｌｄ  Ｃａｔｈｏｄｅ  Ｆｌｕｏｒｅｓｃｅｎｔ  Ｌａｍｐ）、ＨＣＦＬ（Ｈｏｔ  Ｃａｔｈｏｄｅ  Ｆｌｕｏｒｅｓｃｅｎｔ  Ｌａｍｐ）などを使用し、特に長寿命で消費電力が小さく、薄型に形成可能なＣＣＦＬ方式が大画面カラーＴＦＴ型ＬＣＤで多く使用される。
【０００９】
図１は一般的なＬＣＤモジュール（以下「ＬＣＭ」と称する）の詳細分解斜視図である。
図１に示すように、ＬＣＭ１０は、バックライト部１２と、液晶表示パネル１１とに区分され、前記バックライト部１２は、メインサポート１３と、トップケース２０とによって支持される。
ここで、前記バックライト部１２は、プラスチック材質のメインサポート１３上に、反射板１２ａと、導光板１２ｂと、拡散または保護シート１２ｃと、第１プリズムシート１２ｄ及び第２プリズムシート１２ｅと、拡散または保護シート１２ｆと、液晶表示パネル１１とが順次積層されて構成される。
【００１０】
一方、前記バックライト部１２は、上面に前記液晶表示パネル１１を金属材質のトップケース２０で支持し、下面をメインサポート１３の周縁部上面に積載したガイドパネル１４によって支持される。また、前記液晶表示パネル１１の上下面には上部偏光板１１ａと、下部偏光板１１ｂとが装着される。
【００１１】
前記液晶表示パネル１１自体は光を発散させえないので、液晶表示パネル１１の画面表示領域に光を均一に入射させなければならない。このために、前記メインサポート１３には光源が備えられており、その光源の配置構造によって、画面直下から光を照射する直下方式と、前記メインサポート１３の一側に備えられた光源から光を導光板１２ｂに入射させ、前記導光板１２ｂから上面の液晶表示パネル１１に均一に光を放出させるエッジ方式とに分けられる。
【００１２】
一般的に前記光源としてはＣＣＦＬ（冷陰極蛍光ランプ）（図示せず）を使用し、前記ＣＣＦＬに連結される電線はＬＣＭ１０の側面または背面から出て、ＬＣＭ１０の背面に装着されたインバータなどに連結される。
【００１３】
前記ＣＣＦＬを駆動させるためには交流の電気エネルギーを使用するので、ＬＣＭ１０の背面に備えられたインバータによって外部電源から供給される直流の電気エネルギーを交流に変換しなければならない。したがって、ＣＣＦＬに連結された電線は前記インバータに連結され、該インバータから変換され出た交流の電気エネルギーによってＣＣＦＬは駆動される。
【００１４】
前記ＣＣＦＬに連結された電線は、ＣＣＦＬの電源連結部に対して半田づけなどによって電気的に連結されている。しかし、ＬＣＭ１０の組立作業中に前記電線が外部から加えられる揺れ動きなどによって揺れたり捩じられたりした場合に、前記電線とＣＣＦＬとの電気的な連結部分で断線することがあるので、前記電線を固定する構造を備えなければならない。
【００１５】
以下、添付の図面を参照にして従来のＬＣＤにおける電線固定構造を説明する
【００１６】
図２は従来技術によるＬＣＤの電線固定構造を示す断面図である。
図２に示すように、液晶表示パネル１１はガイドパネル１４の上面に積載され、前記ガイドパネル１４の下部にはメインサポート１３及び導光板１２ｂが配置されている。前記ガイドパネル１４の下部に位置するメインサポート１３の一部には、図示したように前記メインサポート１３から延長されたフック部３０が形成されている。
【００１７】
前記フック部３０は鉤状に曲がった部分を有し、バックライト部を構成するＣＣＦＬ（図示せず）などに連結される電線２５を固定するために、前記電線２５を前記フック部３０に挿入する。
前記フック部３０に挿入された電線２５が移送中または作業中にフック部３０の開口部から離脱しないように、前記フック部３０の先端とメインサポート１３の側面部との間にパッド３１を挿入する。
【００１８】
前記パッド３１は、前記フック部３０の先端とメインサポート１３の間への挿入が容易なようにスポンジなどの伸縮性材質からなり、前記パッド３１の挿入によって前記電線２５の離脱を防止する。
即ち、従来技術による液晶表示装置の電線固定構造は、メインサポート１３から延長され形成された鉤状のフック部３０と、該フック部３０の開口部を塞ぐために伸縮性材質で構成されるパッド３１とからなる。
【発明の開示】
【発明が解決しようとする課題】
【００１９】
しかしながら、上述したような従来技術によるＬＣＤの電線固定構造によれば次のような問題点がある。
【００２０】
第一に、従来技術による電線固定構造ではパッドが追加部品として必要であるため、製造原価が上昇し、前記パッドの挿入のための追加的な手作業が必要となり、生産性が悪化した。
【００２１】
第二に、前記パッドは伸縮性物質からなり、フック部とメインサポートの間の隙間に挿入が容易ではあるものの、外部からの揺れ動きが激しい場合、前記パッドが抜け出る場合があって電線がフック部で安定的に固定されえなかった。
【００２２】
第三に、前記パッドが伸縮性物質からなるので、パッドから落ちた粒子などの塵が発生し、前記塵が静電気などによってＬＣＤの画面に付着し鮮明な画像実現に障害となった。
【００２３】
そこで、本発明の目的は、バックライト部から出た電線を安定的に固定し、生産性を高める電線固定構造を備えたＬＣＤを提供することにある。
【課題を解決するための手段】
【００２４】
上記目的を達成するために、本発明によるＬＣＤは、画像を表示する液晶表示パネルと、前記液晶表示パネルに均一な光を供給するバックライト部とを含んでなるＬＣＤモジュールと、前記バックライト部から引き出された電線と、前記ＬＣＤモジュールの下部に配置され、周縁部の外側に突出した部分に第１リブを備え、前記第１リブが備えられた個所に隣接した位置に貫通ホールが形成されたメインサポートと、前記液晶表示パネルを支持し、側部の一端の前記メインサポート上に形成された貫通ホールに対応する位置に第２リブを備えたガイドパネルとを含んでなり、前記第１リブと第２リブとの間に、前記バックライト部から引き出された電線の固定部が形成されていることを特徴とする。
【００２５】
ここで、前記第１リブは前記メインサポートから延長されて突出し、前記第２リブは前記メインサポート上に形成された前記貫通ホールを通過してメインサポートの下方に突出する。
【００２６】
また、前記第２リブは前記ガイドパネルから延長されて突出している。
【００２７】
また、前記第１、第２リブの先端に鉤状の第１、第２フック部が形成されている。
【００２８】
前記第１フック部と第２フック部とは互いに対向した形で隣接して形成され、前記第１フック部と第２フック部は電線が挿入される入口部に傾斜したタップが形成されている。
【００２９】
前記バックライト部から引き出された電線は、第１リブと第２リブとの間に挿入され、第１フック部及び第２フック部によって拘束され固定される。
【発明の効果】
【００３０】
本発明のＬＣＤは次のような効果が得られる。
第一に、追加部品が必要なく、バックライト部から出た電線を第１リブと第２リブの間に挿入するだけで済むので、原価節減と生産性の向上を実現できる。
第二に、第１リブと第２リブとの間に挿入された電線は第１フック部と第２フック部によって拘束されるので、安定的に固定可能となり、パッドなどのサブ資材が必要ないので異物質の発生を防止できる。
【発明を実施するための最良の形態】
【００３１】
以下、本発明の好ましい実施形態を添付の図面に基づいて詳細に説明する。
図３は本発明によるＬＣＤの電線固定構造を備えたメインサポートを背面から見た斜視図である。
図３に示すように、メインサポート５３の一方の側面に光源ランプ（例えば、ＣＣＦＬ）(図示せず)に連結された電線５５が出るホール５６が形成されている。
前記ホール５６の隣接した部分にメインサポート５３の延長面５３ａが形成されており、前記延長面５３ａ上に第１リブ５９が備えられている。
【００３２】
ここで、前記第１リブ５９は前記メインサポート５３から延長されて突出し、その先端に第１フック部５９ａが形成されている。
また、前記第１リブ５９はメインサポート５３の延長面５３ａからメインサポート５３の背面方向に突出するように形成されている。
そして、第１リブ５９の先端には図示したように鉤状 の第１フック部５９ａが形成され、電線５５が前記第１フック部５９ａに拘束されるようにした構造である。
【００３３】
また、前記メインサポート５３の延長面５３ａと、該延長面５３ａ上に形成された第１リブ５９及びメインサポート５３は全て一体的に構成され、前記メインサポート５３は通常プラスチック材質で構成される。
そして、前記第１リブ５９が設けられた個所に隣接した位置の前記メインサポート５３上に貫通ホール５７が形成されている。即ち、前記第１リブ５９の側部に貫通ホール５７が形成されている。
【００３４】
以下、前記貫通ホール５７の機能について説明する。
図４は本発明によるＬＣＤの電線固定構造を備えたガイドパネルを示す拡大図である。
図４に示すように、メインサポート５３の延長面５３ａ（図３参照）に対応する位置、つまり前記ガイドパネル５４の一部にも延長面５４ａが形成されている。
【００３５】
一般に前記ガイドパネル５４は、メインサポート５３の周縁部に沿ってメインサポート５３と殆ど同一の大きさに製作され、前記周縁部に沿って液晶表示パネルが積載される積載面５４ｂが形成されており、前記積載面５４ｂの内側は四角形の開口部を形成して、バックライト部から放出される光が液晶表示パネルに入射されるようになっている。
【００３６】
前記ガイドパネル５４の延長面５４ａには、前記メインサポート５３上の貫通ホール５７に対応する位置に第２リブ６０が備えられ、前記第２リブ６０は前記メインサポート５３の貫通ホール５７を通過して下面に突出する。
即ち、前記メインサポート５３の延長面５３ａ上に形成された貫通ホール５７は前記ガイドパネル５４の延長面５４ａ上に形成された第２リブ６０が通過できるように形成されている。
したがって、前記メインサポート５３とガイドパネル５４との組立時に、第２リブ６０を前記メインサポート５３の延長面５３ａ上に形成された貫通ホール５７を通過させながら組み立てる。
【００３７】
また、前記第２リブ６０もガイドパネル５４から延長されて突出し、その先端に第２フック部６０ａが形成されている。ここで、前記第２リブ６０は、ガイドパネル５４の延長面５４ａからメインサポート５３の背面方向に突出するように形成されている。
そして、第２リブ６０の先端には図示したように鉤状の第２フック部６０ａが形成されており、電線５５が前記第２フック部６０ａに拘束されるようにした構造である。
【００３８】
また、前記ガイドパネル５４の延長面５４ａと、該延長面５４ａ上に形成された第２リブ６０及びガイドパネル５４は全て一体的に構成されており、前記ガイドパネル５４はメインサポート５３と同様にプラスチック材質で構成される。上記のような構成を通じて、前記第１フック部５９ａと第２フック部６０ａとは鉤状の部分が互いに対向する方向に隣接して配置される。
【００３９】
図５はメインサポート５３と、ガイドパネル５４との組立が完了した後の形状を示すもので、メインサポート５３の背面側から見た斜視図である。
図５に示すように、第２リブ６０は前記メインサポート５３の延長面５３ａ上に形成された貫通ホール５７を通過してメインサポート５３の背面方向に突出し、図示したように前記第１リブ５９と第２リブ６０は隣接する位置に並立する形状として組み立てられる。
【００４０】
したがって、前記第１リブ５９及び第２リブ６０の先端にそれぞれ形成された第１フック部５９ａと第２フック部６０ａは互に向き合った形状をしており、前記第１フック部５９ａと第２フック部６０ａの間の間隔は、バックライト部から出る電線５５の太さより小さく形成される。
また、前記第１リブ５９及び第２リブ６０はメインサポート５３の背面に前記電線５５が挿入され得る間隔で突出している。即ち、バックライト部から出る電線５５は、第１リブ５９と第２リブ６０の間に挿入され固定される。
【００４１】
図６は図５のＩ−Ｉ’方向から見た、電線５５の固定構造の断面図である。
図６に示すように、画像を表示する液晶表示パネル５１と、前記液晶表示パネル５１に均一な光を照射するバックライト部５２とを備えていて、前記液晶表示パネル５１とバックライト部５２を保持するガイドパネル５４に備えられた第２リブ６０は、メインサポート５３上の貫通ホール５７を介して突出し、前記メインサポート５３上に備えられた第１リブ５９は、前記第２リブ６０と並立する形状に構成されている。
【００４２】
ここで、前記バックライト部５２は上面に前記液晶表示パネル５１を金属材質のトップケース５８で支持し、下面をメインサポート５３の周縁部上面に積載されたガイドパネル５４によって支持される。
【００４３】
また、前記第１リブ５９および第２リブ６０の先端に、それぞれ鉤状の第１フック部５９ａ及び第２フック部６０ａが備えられており、前記第１フック部５９ａと第２フック部６０ａとは互いに対向して向き合った形状に備えられる。
【００４４】
また、前記第１フック部５９ａと第２フック部６０ａの間の間隔は、電線５５の太さより小さく形成されており、前記間隔を通じてＣＣＦＬなどに連結された電線５５が挿入される。
【００４５】
また、前記第１フック部５９ａと第２フック部６０ａには電線の挿入が容易なように入口側に傾斜したタップが形成されている。
ここで、前記第１リブ５９と第２リブ６０は、モールド成形物として弾性を有するプラスチックで構成されているので、前記第１フック部５９ａと第２フック部６０ａの間の間隔に電線２５を挿入する時に、弾性によって第１リブ５９と第２リブ６０が開き、挿入完了後には弾性変形から回復し、前記電線５５を拘束して固定する。
このように、前記第１フック部５９ａと第２フック部６０ａの間に挿入された電線５５は、前記第１フック部５９ａ及び第２フック部６０ａによって拘束され、外部に離脱しないので、安定的な固定が可能となる。
【図面の簡単な説明】
【００４６】
【図１】ＬＣＤモジュールの分解斜視図。
【図２】従来技術によるＬＣＤの電線固定構造に関する断面図。
【図３】本発明によるＬＣＤの電線固定構造を備えたメインサポートを背面から見た斜視図。
【図４】本発明によるＬＣＤのガイドパネル上に備えられた電線固定構造の拡大図。
【図５】本発明によるＬＣＤの電線固定構造の拡大図。
【図６】図５のＩ−Ｉ’方向から見た断面図。
【符号の説明】
【００４７】
５１：液晶表示パネル
５２：バックライト部
５３：メインサポート
５４：ガイドパネル
５５：電線
５６：ホール
５７：貫通ホール
５８：トップケース
５９：第１リブ
６０：第２リブ
５９ａ：第１フック部
６０ａ：第２フック部
【図１】
2004212966.tif 000003
【図２】
2004212966.tif 000004
【図３】
2004212966.tif 000005
【図４】
2004212966.tif 000006
【図５】
2004212966.tif 000007
【図６】
2004212966.tif 000008